(57)【要約】【課題】撥弦楽器の演奏感を得ながら歌唱音の歌詞および旋律を入力することが可能な演奏装置を提供する。【解決手段】演奏操作部１は、ネックおよび弦を備えたギター等の撥弦楽器を模した構成を有し、ボディ１１、ネック１２、ヘッド１３、複数の弦１４および操作部１５を備える。ボディ１１から一方向に延びるようにネック１２が設けられる。複数の弦１４は、ネック１２の一面上において互いに並列にネック方向Ｌに延びるように配置される。複数の弦１４の他端の近傍において、ボディ１１の一面に操作部１５が設けられる。ユーザは、一方の手でネック１２を把持しつつ弦１４を操作し、他方の手で操作部１５を操作する。ネック１２上での弦１４の操作により歌唱音の旋律を構成する音高が指定され、操作部１５の操作により歌唱音の歌詞を構成する文字が指定される。【選択図】図３
2017167249.tif 000002
【特許請求の範囲】
【請求項１】
ボディと、
前記ボディから一方向に延びるネックと、
前記ネック上で前記一方向に延び、歌唱音における歌詞を構成する文字および前記歌唱音における旋律を構成する音高の一方を指定するためにユーザの一方の手により操作される弦と、
前記ボディに設けられ、前記文字および前記音高の他方を指定するためにユーザの他方の手により操作される操作部とを備える、演奏装置。 
【請求項２】
前記操作部は、
前記文字として複数の母音をそれぞれ指定するための複数の母音操作子と、
前記文字として撥音を指定するための撥音操作子とを含む、請求項１記載の演奏装置。
【請求項３】
前記複数の母音操作子は、母音としての「ア」、「イ」、「ウ」、「エ」および「オ」にそれぞれ対応しかつ前記他方の手の５本の指が同時に接触可能な５つの位置にそれぞれ設けられた５つの母音操作子を含む、請求項２記載の演奏装置。
【請求項４】
前記撥音操作子は、前記５本の指が前記５つの母音操作子上に位置する状態で前記５本の指の少なくとも１本の指と重なる位置に設けられる、請求項３記載の演奏装置。
【請求項５】
前記ネックと前記弦との間に一方向に並ぶように配置される複数の電極と、
前記複数の電極と前記弦との電気的接続を検出することにより、前記弦の操作を検出する検出手段とをさらに備える、請求項１〜４のいずれか一項に記載の演奏装置。
【請求項６】
前記一方の手が前記ネックを把持する状態で前記一方の手が接触可能な位置、および前記他方の手が前記操作部上に位置する状態で前記他方の手が接触可能な位置の少なくとも一方に設けられた接地電極をさらに備える、請求項１〜５のいずれか一項に記載の演奏装置。
【請求項７】
前記操作部および前記弦の操作により指定された前記文字および前記音高に基づいて、歌唱音を表す歌唱音データを生成する生成手段をさらに備える、請求項１〜６のいずれか一項に記載の演奏装置。
【請求項８】
前記生成手段は、前記弦が操作されつつ前記操作部が操作されることにより、前記指定された文字および音高に対応する歌唱音データを生成する、請求項７記載の演奏装置。
【発明の詳細な説明】
【技術分野】
【０００１】
本発明は、ユーザにより操作される演奏装置に関する。
【背景技術】
【０００２】
音声合成技術により歌唱音を合成する装置およびアプリケーションソフトウェアが広く用いられている。非特許文献１記載のポケットミク（登録商標）においては、模擬的に設けられた鍵盤にスタイラスを接触させることによって音高を指定することができる。また、ボタンの操作によって「あ」、「い」、「う」、「え」および「お」のうち１つの文字を指定することができる。指定された音高および文字に基づいて歌唱音が合成され、その歌唱音が出力される。
【先行技術文献】
【非特許文献】
【０００３】
【非特許文献１】“歌うキーボードポケット・ミク｜大人の科学.net”、［online］、株式会社学研プラス、［平成２８年２月２３日検索］、インターネット＜ＵＲＬ：http://otonanokagaku.net/nsx39/＞
【発明の概要】
【発明が解決しようとする課題】
【０００４】
上記のポケットミクの操作では、実際の楽器の演奏感を得にくい。歌唱音の歌詞および旋律を入力可能な装置として、鍵盤楽器を模した装置は存在する。しかしながら、幅広いユーザの要望を満たすため、他の楽器の演奏感を得ながら歌唱音の歌詞および旋律を入力することが可能な装置が求められる。
【０００５】
本発明の目的は、撥弦楽器の演奏感を得ながら歌唱音の歌詞および旋律を入力することが可能な演奏装置を提供することである。
【課題を解決するための手段】
【０００６】
本発明に係る演奏装置は、ボディと、ボディから一方向に延びるネックと、ネック上で一方向に延び、歌唱音における歌詞を構成する文字および歌唱音における旋律を構成する音高の一方を指定するためにユーザの一方の手により操作される弦と、ボディに設けられ、文字および音高の他方を指定するためにユーザの他方の手により操作される操作部とを備える。
【０００７】
この演奏装置においては、ユーザの一方の手によりネック上に設けられた弦が操作され、他方の手によりボディに設けられた操作部が操作される。弦の操作により文字および音高の一方が指定され、操作部の操作により文字および音高の他方が指定される。これにより、ユーザは、撥弦楽器の演奏感を得ながら歌唱音の歌詞および旋律を入力することができる。
【０００８】
操作部は、文字として複数の母音をそれぞれ指定するための複数の母音操作子と、文字として撥音を指定するための撥音操作子とを含んでもよい。この場合、ユーザは、母音および撥音により構成される歌詞を入力することができる。
【０００９】
複数の母音操作子は、母音としての「ア」、「イ」、「ウ」、「エ」および「オ」にそれぞれ対応しかつ他方の手の５本の指が同時に接触可能な５つの位置にそれぞれ設けられた５つの母音操作子を含んでもよい。この場合、ユーザは他方の手を大きく移動させることなく、５つの母音操作子を操作することができる。それにより、５つの母音の指定を容易にかつ高速で行うことができる。したがって、効率よく歌詞を入力することができる。
【００１０】
撥音操作子は、５本の指が５つの母音操作子上に位置する状態で５本の指の少なくとも１本の指と重なる位置に設けられてもよい。この場合、ユーザは、５本の指を大きく移動させることなく、５つの母音操作子および撥音操作子を操作することができる。それにより、５つの母音の指定とともに撥音の指定を容易にかつ高速で行うことができる。
【００１１】
演奏装置は、ネックと弦との間に一方向に並ぶように配置される複数の電極と、複数の電極と弦との電気的接続を検出することにより、弦の操作を検出する検出手段とをさらに備えてもよい。この場合、ネック上での一方向における弦の操作位置に基づいて、文字または音高が指定される。それにより、ユーザは、撥弦楽器におけるネック上での操作感を得ることができる。
【００１２】
演奏装置は、一方の手がネックを把持する状態で一方の手が接触可能な位置、および他方の手が操作部上に位置する状態で他方の手が接触可能な位置の少なくとも一方に設けられた接地電極をさらに備えてもよい。この場合、弦または操作部の操作時に一方の手または他方の手を常に接地電極に接触させることができる。それにより、皮膚インピーダンスによる操作の誤検出が防止される。
【００１３】
演奏装置は、操作部および弦の操作により指定された文字および音高に基づいて、歌唱音を表す歌唱音データを生成する生成手段をさらに備えてもよい。この場合、入力された歌詞および旋律に対応する歌唱音データを生成することができる。
【００１４】
生成手段は、弦が操作されつつ操作部が操作されることにより、指定された文字および音高に対応する歌唱音データを生成してもよい。この場合、ユーザの左右の手で弦および操作部が同時に操作されることによって歌唱音データが生成される。これにより、撥弦楽器の演奏感がより高まる。
【発明の効果】
【００１５】
本発明によれば、撥弦楽器の演奏感を得ながら歌唱音の歌詞および旋律を入力することが可能となる。
【図面の簡単な説明】
【００１６】
【図１】本発明の実施の形態に係る演奏装置の構成を示す模式図である。
【図２】演奏操作部を保持するユーザを示す図である。
【図３】制御部の機能的な構成を示すブロック図である。
【図４】ネックおよび弦の詳細な構成について説明するための図である。
【図５】弦の操作について説明するための模式的側面図である。
【図６】操作部の拡大平面図である。
【図７】右手による操作部の操作について説明するための模式的平面図および模式的側面図である。
【図８】演奏操作部の操作例について説明するための図である。
【図９】歌唱音出力処理の一例を示すフローチャートである。
【図１０】検出電極の他の配置例を示す図である。
【図１１】歌詞操作子の他の例を示す図である。
【発明を実施するための形態】
【００１７】
以下、本発明の実施の形態に係る演奏装置について図面を用いて詳細に説明する。
【００１８】
（１）演奏装置の構成
図１は、本発明の実施の形態に係る演奏装置の構成を示す模式図である。図１の演奏装置１００は、演奏操作部１、操作検出部２１，２２、制御部３、記憶部４および出力部５を備える。演奏操作部１は、ネックおよび弦を備えたギター等の撥弦楽器（以下、ギター系撥弦楽器と呼ぶ。）を模した構成を有し、ボディ１１、ネック１２、ヘッド１３、複数の弦１４および操作部１５を備える。ギター系撥弦楽器は、エレクトリックギターおよびエレクトリックベース等の電子楽器も含む。本例において、演奏操作部１は、エレクトリックベースを模した構成を有し、４本の弦１４を有する。ボディ１１は所定の形状および厚みを有し、ボディ１１から一方向に延びるようにネック１２が設けられる。以下、ネック１２の長さ方向をネック方向Ｌと呼ぶ。
【００１９】
ネック１２の一面上には複数のフレット１２ａがネック方向Ｌに並ぶように設けられる。本例において、各フレット１２ａの配置は、エレクトリックベースの各フレットの配置と対応しており、ヘッド１３に近いほど隣り合うフレット１２ａの間隔は大きい。ネック１２の先端部にヘッド１３が設けられる。複数の弦１４は、ネック１２の一面上において互いに並列にネック方向Ｌに延びるように配置される。各弦１４の一端はヘッド１３に固定され、他端はボディ１１の一面に固定される。複数の弦１４の他端の近傍において、ボディ１１の一面に操作部１５が設けられる。操作部１５の近傍において、ボディ１の外周に沿うように接地電極ＧＲ１が設けられる。
【００２０】
ユーザは、演奏操作部１を保持して弦１４および操作部１５の操作を行う。図２は、演奏操作部１を保持するユーザの状態を示す図である。図２に示すように、ユーザは、一方の手（本例では左手）でネック１２を把持しつつ弦１４を操作し、他方の手（本例では右手）で操作部１５を操作する。他方の手は、操作部１５上に位置するとともに接地電極ＧＲ１に接触する。ネック１２上での弦１４の操作により歌唱音の旋律を構成する音高が指定され、操作部１５の操作により歌唱音の歌詞を構成する文字（以下、歌唱文字と呼ぶ）が指定される。歌詞は、歌唱に用いられる文字列であり、言語的に意味を有する文字列に限らず、ハミングまたはスキャット等に用いられる言語的に意味を有さない文字列も含む。弦１４および操作部１５の操作については後述する。
【００２１】
図１の操作検出部２１は、ユーザによる弦１４の操作を検出し、操作検出部２２は、ユーザによる操作部１５の操作を検出する。検出された弦１４および操作部１５の操作を示す操作信号が制御部３に与えられる。操作検出部２１および操作検出部２２の少なくとも一方は、演奏操作部１と一体的に設けられてもよい。
【００２２】
制御部３は、ＣＰＵ（中央演算処理装置）３ａ、ＲＯＭ（リードオンリメモリ）３ｂおよびＲＡＭ（ランダムアクセスメモリ）３ｃを含む。ＲＯＭ３ｂは、例えば不揮発性メモリからなり、システムプログラムおよび歌唱音出力プログラム等のコンピュータプログラムを記憶する。ＲＡＭ３ｃは、例えば揮発性メモリからなり、ＣＰＵ３ａの作業領域として用いられるとともに、各種データを一時的に記憶する。ＣＰＵ３ａは、ＲＯＭ３ｂに記憶された歌唱音出力プログラムをＲＡＭ３ｃ上で実行することにより後述の歌唱音出力処理を行い、歌唱音データを合成する。
【００２３】
記憶部４は、ハードディスク、光学ディスク、磁気ディスクまたはメモリカード等の記憶媒体を含む。記憶部４には、歌唱音データの合成に用いられる音声素片データ群が記憶される。音声素片データ群は、種々の音声素片のサンプリング波形を表す複数の音声素片データを含む。上記の歌唱音出力プログラムが記憶部４に記憶されてもよい。出力部５は、デジタルアナログ（Ｄ／Ａ）変換回路、増幅器およびスピーカを含み、合成された歌唱音データに基づく歌唱音を発生する。制御部３および記憶部４は、演奏操作部１と一体的に設けられてもよい。同様に、出力部５は、演奏操作部１と一体的に設けられてもよい。
【００２４】
図３は、制御部３の機能的な構成を示すブロック図である。図３に示すように、制御部３は、音高受付部３１、歌唱文字受付部３２、判定部３３、歌唱音合成部３４および出力制御部３５を含む。音高受付部３１は、図１の操作検出部２１から与えられる操作信号に基づいて、弦１４の操作による音高の指定を受け付ける。歌唱文字受付部３２は、図１の操作検出部２２から与えられる操作信号に基づいて、操作部１５の操作による歌唱文字の指定を受け付ける。判定部３３は、指定された音高および歌唱文字のうち、出力すべき歌唱音に対応する音高および歌唱文字を判定する。歌唱音合成部３４は、指定された音高および歌唱文字に基づいて、歌唱音を表す歌唱音データを合成する。具体的には、指定された歌唱文字に対応する１または複数の音声素片データが音声素片データ群から抽出され、指定された音高に対応するように各音声素片データの音高が調整される。その１または複数の音声素片データから歌唱音データが合成される。出力制御部３５は、合成された歌唱音データに基づいて出力部５を制御する。
【００２５】
図１のＣＰＵ３ａがＲＯＭ３ｂまたは記憶部４に記憶された歌唱音出力プログラムを実行することにより、音高受付部３１、歌唱文字受付部３２、判定部３３、歌唱音合成部３４および出力制御部３５が実現される。これらの機能部は、電子回路等のハードウエアにより実現されてもよい。
【００２６】
（２）弦の操作
図４は、ネック１２および複数の弦１４の詳細について説明するための図である。図４（ａ）はネック１２の一面を示し、図４（ｂ）はネック１２の他面（裏面）を示す。図４（ａ）に示すように、ネック１２の一面には、ネック方向Ｌに並ぶように複数の検出電極ＯＥが配置される。各検出電極ＯＥは、隣り合うフレット１２ａの間において、複数の弦１４と重なるように延びる。複数の弦１４および複数の検出電極ＯＥによりマトリクス回路が形成される。複数の弦１４および複数の検出電極ＯＥは、それぞれ図１の操作検出部２１に接続される。図４（ｂ）に示すように、ネック１２の他面には、接地電極ＧＲ２が設けられる。ユーザが一方の手（例えば左手）によってネック１２を把持すると、ユーザの一方の手が接地電極ＧＲ２と接触する。複数の検出電極ＯＥは、複数の音高にそれぞれ対応する。
【００２７】
図５は、弦１４の操作について説明するための模式的側面図である。図５（ａ）および図５（ｂ）には、１本の弦１４および１つの検出電極ＯＥが示される。図５（ａ）に示すように、ユーザが弦１４を操作していない状態では、検出電極ＯＥと弦１４とが互いに離間している。図５（ｂ）に示すように、ユーザは、指Ｆで弦１４を押下することにより、弦１４を検出電極ＯＥに接触させる。弦１４が検出電極ＯＥに接触すると、弦１４と検出電極ＯＥとが電気的に接続される。図１の操作検出部２１は、複数の弦１４と複数の検出電極ＯＥとの間における電気的接続を検出することにより、押弦位置を特定する。押弦位置は、いずれかの弦１４における操作位置を表し、１つの弦１４および１つの検出電極ＯＥに対応する。１つの押弦位置に、１つの音高が対応付けられる。図２の音高受付部２１は、特定された押弦位置に対応する音高の指定を受け付ける。
【００２８】
例えば、演奏操作部１において各音高を指定するときの押弦位置は、ギター系撥弦楽器において各音高を発生させるときの押弦位置と対応する。具体的には、共通の弦１４に対応しかつ互いに異なる検出電極ＯＥに対応する複数の押弦位置に関して、隣り合う２つの押弦位置に対応する音高は半音異なる。また、最もヘッド１３に近い押弦位置に対応する音高が最も低く、ボディ１１に近づくにつれて各押弦位置に対応する音高が半音ずつ高くなる。一方、共通の検出電極ＯＥに対応しかつ互いに異なる弦１４に対応する複数（本例では４つ）の押弦位置に関して、隣り合う２つの押弦位置に対応する音高は、短４度または長３度異なる。
【００２９】
本例では、弦１４を操作するユーザの手（例えば左手）が接地電極ＧＲ２（図４）に接触している。また、上記のように、操作部１５を操作するユーザの手（例えば右手）が接地電極ＧＲ１（図１）に接触している。これにより、ユーザの皮膚の電位が接地電位に維持される。したがって、弦１４が検出電極ＯＥに接触していない状態で、ユーザの皮膚インピーダンスに起因して弦１４と検出電極ＯＥとの間で電気的接続が生じることが防止される。これにより、弦１４の操作の誤検出が防止される。なお、ユーザの皮膚インピーダンスに起因する誤検出を防止可能であれば、接地電極ＧＲ１，ＧＲ２のうち一方のみが設けられてもよい。また、ユーザの皮膚インピーダンスに起因する誤検出が生じない場合には、接地電極ＧＲ１，ＧＲ２の両方が設けられなくてもよい。
【００３０】
（３）操作部
図６は、操作部１５およびその周辺部の拡大平面図である。図６の操作部１５は、母音操作子Ａ１，Ａ２，Ａ３，Ａ４，Ａ５、撥音操作子Ｂ１，Ｂ２，Ｂ３，Ｂ４、および音高調整操作子Ｃ１，Ｃ２を含む。本例において、各操作子は、押下式のスイッチである。母音操作子Ａ２〜Ａ５は、操作子列Ｐ１を構成し、撥音操作子Ｂ１〜Ｂ４は、操作子列Ｐ２を構成し、母音操作子Ａ１および音高調整操作子Ｃ１，Ｃ２は、操作子列Ｐ３を構成する。
【００３１】
操作子列Ｐ１〜Ｐ３は、互いに平行にかつ並列に配置される。操作子列Ｐ１と操作子列Ｐ３との間に操作子列Ｐ２が配置される。操作子列Ｐ１〜Ｐ３のうち操作子列Ｐ３がボディ１１の外周部に最も近い。以下、ボディの一面に平行な面上において、操作子列Ｐ１〜Ｐ３に平行な方向を横方向と呼び、横方向に垂直な方向を縦方向と呼ぶ。横方向は、ネック方向Ｌ（図１）と略一致する。横方向において、母音操作子Ａ１の幅は、母音操作子Ａ２〜Ａ５または撥音操作子Ｂ１〜Ｂ４の幅と同等であってもよく、それより大きくてもよい。図６の例では、母音操作子Ａ１の幅Ｈ１が母音操作子Ａ２〜Ａ５および撥音操作子Ｂ１〜Ｂ４の幅Ｈ２の略２倍である。縦方向において、母音操作子Ａ１は、撥音操作子Ｂ１，Ｂ２と隣り合い、母音操作子Ａ２〜Ａ４は、撥音操作子Ｂ２〜Ｂ４とそれぞれ隣り合う。母音操作子Ａ１〜Ａ５には、母音の「ア」、「イ」、「ウ」、「エ」および「オ」がそれぞれ割り当てられる。撥音操作子Ｂ１〜Ｂ４の各々には、撥音の「ン」が割り当てられる。
【００３２】
上記のように、本例ではユーザが右手で操作部１５を操作する。図７は、右手による操作部１５の操作について説明するための模式的平面図および模式的側面図である。図７（ｂ）および図７（ｃ）には、代表的に、親指、人差指、母音操作子Ａ１，Ａ２および撥音操作子Ｂ２が示される。図７（ａ）に示すように、親指ｆ１、人差し指ｆ２、中指ｆ３、薬指ｆ４および小指ｆ５の先端部が母音操作子Ａ１〜Ａ５上に位置し、かつ人差し指ｆ２、中指ｆ３および薬指ｆ４が撥音操作子Ｂ２〜Ｂ４とそれぞれ重なるように、操作部１５に右手が配置される。
【００３３】
この状態で、図７（ｂ）に示すように、ユーザは、５本の指により母音操作子Ａ１〜Ａ５をそれぞれ操作（押下）することができる。また、図７（ｃ）に実線で示すように、ユーザは、人差し指ｆ２、中指ｆ３および薬指ｆ４を僅かに移動させて、撥音操作子Ｂ２〜Ｂ４を操作することができる。さらに、図７（ｃ）に一点鎖線で示すように、ユーザは、人差し指ｆ２、中指ｆ３および薬指ｆ４により母音操作子Ａ２〜Ａ４を操作しつつ、これらの指を折り曲げて撥音操作子Ｂ２〜Ｂ４を操作することもできる。後述のように、ユーザは、母音操作子Ａ２〜Ａ４をオンしつつ撥音操作子Ｂ２〜Ｂ４をすることにより、歌唱音に対応する歌唱文字を母音から撥音に迅速に切り替えることができる（図８（ｄ）参照）。また、ユーザは、親指ｆ１または人差指ｆ２を僅かに移動させて、撥音操作子Ｂ１（図７（ａ））を操作することもできる。
【００３４】
撥音操作子Ｂ１〜Ｂ４のうち、いずれか１つのみが設けられてもよい。また撥音操作子Ｂ１〜Ｂ４の代わりに、横方向に長尺状に延びる共通の撥音操作子が設けられてもよい。共通の撥音操作子の横方向における幅は、例えば撥音操作子Ｂ１〜Ｂ４の幅Ｈ２の合計（Ｈ２×４）に設定される。この場合、ユーザは、図７（ｃ）の例と同様に、人差し指ｆ２、中指ｆ３および薬指ｆ４により撥音操作子を操作することができる。ただし、１本の指での操作を容易にするためには、長尺状の共通の撥音操作子ではなく、図６および図７の例のように互いに別体の撥音操作子Ｂ１〜Ｂ４が用いられることが好ましい。
【００３５】
音高調整操作子Ｃ１は、出力される歌唱音の音高を一定の高さ分（例えば半音）上昇させるために操作される。音高調整操作子Ｃ２は、出力される歌唱音の音高を一定の高さ分（例えば半音）下降させるために操作される。音高調整操作子Ｃ１，Ｃ２の操作により、ギター系撥弦楽器のチョーキングまたはアーミング等と同様に、押弦位置に対応する音高を基準としてさらなる音高の調整が可能となる。
【００３６】
（４）演奏操作部の操作
図８は、演奏操作部１の操作例について説明するための図である。図８（ａ）〜図８（ｄ）には、指定される歌唱文字および音高、ならびに出力される歌唱音が示される。横軸は時間を表す。以下の説明において、図６の母音操作子Ａ１〜Ａ５および撥音操作子Ｂ１〜Ｂ４を歌詞操作子と総称する。また、弦１４がオンされるとは、弦１４がいずれかの検出電極ＯＥ（図３）に接触することを意味し、弦１４がオフされるとは、弦１４が全ての検出電極ＯＥから離間することを意味する。また、歌詞操作子がオンされるとは、歌詞操作子が押下されることを意味し、歌詞操作子がオフされるとは、歌詞操作子が押下されていない状態に戻されることを意味する。
【００３７】
いずれかの弦１４がオンされつついずれかの歌詞操作子がオンされると、当該弦１４および当該歌詞操作子の操作によって指定された音高および歌唱文字に対応する歌唱音が出力される。図８（ａ）の例では、時点ｔ１で母音操作子Ａ１がオンされ、時点ｔ２で弦１４がオンされる。押弦位置は“Ｃ３”に対応する。これにより、時点ｔ２で、歌唱文字「ア」および音高“Ｃ３”に対応する歌唱音の出力が開始される。また、時点ｔ３で母音操作子Ａ１がオフされ、時点ｔ４で弦１４がオフされる。この場合、時点ｔ３で母音操作子Ａ１のオフと同時に歌唱音の出力が停止される。
【００３８】
図８（ｂ）の例が図８（ａ）の例と異なる点は、母音操作子Ａ１が時点ｔ４より後の時点ｔ５でオフされる点である。本例では、歌唱音の出力中に弦１４がオフされても、歌詞操作子がオンされている場合には、歌唱音の出力が継続される。そのため、図８（ｂ）の例では、歌唱音の出力が時点ｔ５まで継続される。
【００３９】
図８（ｃ）の例が図８（ｂ）の例と異なる点は、時点ｔ２より後であって時点ｔ４より前の時点ｔ２ａにおいて、押弦位置が、“Ｃ３”に対応する位置から“Ｄ３”に対応する位置に変更される点である。この場合、出力される歌唱音に対応する歌唱文字は「ア」に維持され、出力される歌唱音に対応する音高は、時点ｔ２ａで“Ｃ３”から“Ｄ３”に変更される。
【００４０】
図８（ｄ）の例が図８（ｂ）の例と異なる点は、時点ｔ２より後の時点ｔ２ｂから時点ｔ２ｂより後であって時点ｔ５より前の時点ｔ２ｃまでの期間に母音操作子Ａ２がオンされる点である。母音操作子Ａ１は時点ｔ１から時点ｔ５までオンに維持される。この場合、出力される歌唱音に対応する歌唱文字が、時点２ｂで「ア」から「イ」に変更される。その後、時点２ｃで母音操作子Ａ２がオフされると、歌唱音の出力が停止される。
【００４１】
このようにして、ユーザは、弦１４および操作部１５を操作することにより歌唱文字および音高を指定することができ、リアルタイムで歌唱音を奏することができる。弦１４および操作部１５の操作と、出力される歌唱音との関係は、図８の例に限定されない。例えば、弦１４がオンされている期間には、歌詞操作子がオフされても、歌唱音の出力が継続されてもよい。また、図８（ｄ）の例のように、複数の歌詞操作子が同時にオンされた場合、その複数の歌詞操作子に割り当てられた複数の歌唱文字に対応する歌唱音が同時に出力されてもよい。また、１または複数の弦１４の複数の位置が同時に押下された場合、複数の押弦位置に対応する複数の音高の歌唱音が和音として同時に出力されてもよく、あるいは複数の押弦位置に対応する複数の音高の中間の音高の歌唱音が出力されてもよい。
【００４２】
（５）歌唱音出力処理
図９は、図３の各機能部による歌唱音出力処理の一例を示すフローチャートである。図９の歌唱音出力処理は、図１のＣＰＵ３ａがＲＯＭ３ｂまたは記憶部４に記憶された歌唱音出力プログラムを実行することに行われる。
【００４３】
まず、歌唱文字受付部３２が、操作検出部２２により操作部１５の操作が検出されたか否かを判定する（ステップＳ１）。操作部１５の操作は、いずれかの歌詞操作子がオンされることおよびいずれかの歌詞操作子がオフされることを含む。操作部１５の操作が検出された場合、歌唱文字受付部３２は、操作部１５の操作として、いずれかの歌詞操作子がオンされたか否かを判定する（ステップＳ２）。いずれかの歌詞操作子がオンされた場合、歌唱文字受付部３２は、オンされた歌詞操作子に割り当てられた歌唱文字の指定を受け付ける（ステップＳ３）。
【００４４】
次に、判定部３３は、その時点でいずれかの弦１４がオンされているか否かを判定する（ステップＳ４）。いずれかの弦１４がオンされている場合には、その時点で押弦位置に対応する音高が指定されている（後述のステップＳ１１参照）。そこで、歌唱音合成部３４は、ステップＳ３で指定された歌唱文字、および後述のステップＳ１１で指定されている音高に基づいて、歌唱音データを合成する（ステップＳ５）。次に、出力制御部３５が、合成された歌唱音データに基づいて歌唱音を出力する（ステップＳ６）。その後、歌唱文字受付部３２がステップＳ１に戻る。
【００４５】
なお、図８（ｄ）の例のように、いずれかの歌詞操作子に対応する歌唱音が出力されている状態で、他の歌詞操作子がオンされることがある。その場合、ステップＳ６において、出力される歌唱音に対応する歌唱文字が、新たにオンされた歌詞操作子に割り当てられた歌唱文字に変更される。
【００４６】
図９のステップＳ２において、操作部１５の操作として、いずれかの歌詞操作子がオフされた場合（ステップＳ２でＮｏの場合）、判定部３３は、オフされた歌詞操作子に対応する歌唱音がその時点で出力中であるか否かを判定する（ステップＳ７）。対応する歌唱音が出力中でない場合、歌唱文字受付部３２がステップＳ１に戻る。対応する歌唱音が出力中である場合、出力制御部３５が歌唱音の出力を停止し（ステップＳ８）、歌唱文字受付部３２がステップＳ１に戻る。図８（ｄ）の例のように、複数の歌詞操作子が同時にオンされている場合、後にオンされた歌詞操作子に対応する歌唱音が出力される。その状態で、後にオンされた歌詞操作子がオフされると、歌唱音の出力が停止される。一方、先にオンされた歌詞操作子がオフされても、後にオンされた歌詞操作子に対応する歌唱音の出力は継続される。
【００４７】
ステップＳ４において、いずれの弦１４もオンされていない場合、判定部３３は、その時点で歌唱音が出力中であるか否かを判定する（ステップＳ９）。歌唱音が出力中でない場合、歌唱文字受付部３２がステップＳ１に戻る。歌唱音が出力中である場合、出力制御部３５は、歌唱音の出力を停止し（ステップＳ８）、歌唱文字受付部３２がステップＳ１に戻る。図８（ｂ）の例のように、歌詞操作子が継続的にオンされている場合には、弦１４がオフされても、歌唱音の出力が継続される。その状態で、他の歌詞操作子がオンされると、歌唱音の出力が停止される。
【００４８】
ステップＳ１で歌詞操作子の操作が検出されない場合、音高受付部３１は、操作検出部２１により弦１４の操作が検出されたか否かを判定する（ステップＳ１０）。弦１４の操作は、いずれかの弦１４がオンされることおよびいずれかの弦１４がオフされることを含む。弦１４の操作が検出されない場合、歌唱文字受付部３２がステップＳ１に戻る。弦１４の操作が検出された場合、音高受付部３１は、弦１４の操作として、いずれかの弦１４がオンされたか否かを判定する（ステップＳ１１）。いずれかの弦１４がオンされた場合、音高受付部３１は、押弦位置に対応する音高の指定を受け付ける（ステップＳ１２）。いずれかの弦１４がオフされた場合（ステップＳ１０でＮｏの場合）、歌唱文字受付部３２がステップＳ１に戻る。
【００４９】
次に、判定部３３は、その時点でいずれかの歌詞操作子がオンされているか否かを判定する（ステップＳ１３）。いずれかの歌詞操作子がオンされている場合には、上記のステップＳ３でその歌詞操作子に対応する歌唱文字が指定されている。そこで、歌唱音合成部３４および出力制御部３５が上記のステップＳ５，Ｓ６の処理を行う。これにより、指定された歌唱文字および音高に対応する歌唱音が出力される。ステップＳ１３においていずれの歌詞操作子もオンされていない場合、歌唱文字受付部３２がステップＳ１に戻る。
【００５０】
なお、図８（ｃ）の例のように、いずれかの押弦位置に対応する歌唱音が出力されている状態で、他の押弦位置が押下されることがある。その場合、ステップＳ６において、出力される歌唱音に対応する音高が、新たにオンされた押弦位置に対応する音高に変更される。
【００５１】
（６）実施の形態の効果
本実施の形態に係る演奏装置１００においては、ユーザの一方の手によってネック１２上に設けられた弦１４が操作され、他方の手によってボディ１１に設けられた操作部１５が操作される。これにより、音高および歌唱文字が指定され、指定された音高および歌唱文字に対応する歌唱音が出力される。したがって、ユーザは、ギター系撥弦楽器の演奏感を得ながら歌詞および旋律を入力することができ、その歌詞および旋律に対応する歌唱音を奏することができる。
【００５２】
また、本実施の形態では、他方の手の５本の指が同時に接触可能な位置に母音操作子Ａ１〜Ａ５が設けられ、かつその５本の指が母音操作子Ａ１〜Ａ５に接触する状態で３本の指と重なる位置に撥音操作子Ｂ２〜Ｂ４が設けられる。それにより、ユーザは他方の手を大きく移動させることなく、母音操作子Ａ１〜Ａ５および撥音操作子Ｂ２〜Ｂ４を操作することができる。したがって、５つの母音および撥音の指定を容易にかつ高速で行うことができ、効率良く歌唱音の歌詞を入力することができる。
【００５３】
また、本実施の形態では、一方の手がネック１２を把持する状態でその一方の手が接触可能な位置に接地電極ＧＲ２が設けられ、かつ他方の手が操作部１５上に位置する状態でその他方の手が接触可能な位置に接地電極ＧＲ１が設けられているので、ユーザは、演奏操作部１の操作時に一方および他方の手を常に接地電極ＧＲ２，ＧＲ１に接触させることができる。それにより、皮膚インピーダンスによる弦１４の操作の誤検出を防止することができる。
【００５４】
（７）他の実施の形態
（ａ）図１０は、検出電極ＯＥの他の配置例を示す図である。図１０の例について、図４および図５の例と異なる点を説明する。図１０（ａ）に示すように、複数のフレット１２ａの間ではなく、各フレット１２ａを覆うように検出電極ＯＥが設けられる。図１０（ｂ）に示すように、ユーザは、弦１４がフレット１２ａに接触するように、弦１４を押下する。この場合、図４および図５の例と比べて、弦１４と検出電極ＯＥを接触させるための弦１４の押下距離が短い。そのため、弦１４からユーザの指に加わる負荷が低減され、弦１４の操作が容易になる。なお、１本の弦１４が隣り合う２本のフレット１２ａ上の２つの検出電極ＯＥに同時に接触する場合には、例えば、ボディ１１に近い検出電極ＯＥと弦１４との電気的接続に基づいて押弦位置が特定され、その押弦位置に対応する音高が指定される。
【００５５】
（ｂ）図１１は、歌詞操作子の他の例を示す図である。図１１の歌詞操作子ＤＴには、１つの母音および撥音が割り当てられる。図１１（ａ）に示すように、歌詞操作子ＤＴには、互いに高さが異なる母音指定位置Ｇ１および撥音指定位置Ｇ２が設定される。歌詞操作子ＤＴが押下されていない状態では、母音および撥音のいずれも指定されない。図１１（ｂ）に示すように、歌詞操作子ＤＴの上面が母音指定位置Ｇ１に到るまで音高操作子ＤＴが押下されると、歌詞操作子ＤＴに割り当てられた母音が歌唱文字として指定される。また、図１１（ｃ）に示すように、歌詞操作子ＤＴの上面が撥音指定位置Ｇ２に到るまで歌詞操作子ＤＴが押下されると、歌唱文字として撥音が指定される。
【００５６】
例えば、母音として「ア」、「イ」、「ウ」、「エ」および「オ」がそれぞれ割り当てられた５つの歌詞操作子ＤＴが設けられる。この場合、５つの歌詞操作子ＤＴの操作により、歌唱文字として５つの母音を指定することができるとともに撥音を指定することができる。このように、１つの歌詞操作子ＤＴによって母音および撥音の両方が指定可能であることにより、ユーザの手の移動をさらに小さくすることができ、効率よく歌唱音の歌詞を入力することができる。
【００５７】
図１１の例では、歌詞操作子ＤＴの押下位置によって母音および撥音が選択的に指定されるが、歌詞操作子ＤＴの押下圧によって母音および撥音が選択的に指定されてもよい。例えば、歌詞操作子ＤＴが弱めに押下されると、母音が指定され、歌詞操作子ＤＴが強めに押下されると、撥音が指定されてもよい。また、操作部１５の各操作子として、押下式のスイッチの代わりに、モーメンタリのトルグ式またはスライド式のスイッチが用いられてもよい。
【００５８】
（ｃ）操作部１５の各操作子の配置は、上記の例に限定されず、適宜変更されてもよい。例えば、母音操作子Ａ５が、操作子列Ｐ２において撥音操作子Ｂ４と隣り合うように配置されてもよく、母音操作子Ａ１が、撥音操作子Ｂ１に代えて操作子列Ｐ２に配置されてもよく、撥音操作子Ｂ１が、操作子列Ｐ１において母音操作子Ａ２と隣り合うように配置されてもよい。あるいは、操作子列Ｐ１〜Ｐ３がそれぞれ直線的に配置されるのでなく、ユーザの手とより自然に重なるように曲線的に配置されてもよい。
【００５９】
また、ボディ１１の一面上において、操作部１５の位置は任意に設定可能である。ただし、ユーザの手の５本の指が母音操作子Ａ１〜Ａ５に同時に接触可能であり、かつ３本の指に重なる位置に撥音操作子Ｂ２〜Ｂ４が位置するように、操作部１５の向きが調整されることが好ましい。また、ユーザが操作部１５の位置および向きを適宜変更することが可能なように、操作部１５がボディ１１に対して着脱可能に設けられてもよい。
【００６０】
（ｄ）上記実施の形態では、左手により弦１４が操作され、右手により操作部１５が操作されるが、右手により弦１４が操作されかつ左手により操作部１５が操作されるように演奏操作部１が構成されてもよい。また、弦１４の操作によって歌唱文字が指定され、操作部１５の操作によって音高が指定されるように演奏装置１００が構成されてもよい。例えば、ネック１２上での複数の押弦位置に複数の歌唱文字がそれぞれ対応付けられる。また、操作部１５に、複数の音高が割り当てられた複数の操作子が設けられる。この場合も、ユーザは、弦１４および操作部１５を操作することにより、ギター系撥弦楽器の演奏感を得ながら歌唱音を奏することができる。
【００６１】
（ｅ）上記実施の形態では、演奏操作部１がエレクトリックベースを模した構成を有するが、ギターまたはマンドリン等のネックおよび弦を備えた他の撥弦楽器を模した構成を有する演奏操作部１が用いられてもよい。また、制御部３、記憶部４および出力部５は、演奏装置１００に搭載されてもよく、これらの少なくとも一部が演奏装置１００の外部装置として設けられてもよい。
【００６２】
（８）請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００６３】
上記実施の形態では、演奏装置１００が演奏装置の例であり、ボディ１１がボディの例であり、ネック１２がネックの例であり、弦１４が弦の例であり、操作部１５が操作部の例であり、母音操作子Ａ１〜Ａ５が母音操作子の例であり、撥音操作子Ｂ１〜Ｂ４が撥音操作子の例であり、検出電極ＯＥが電極の例であり、操作検出部２１が検出手段の例であり、接地電極ＢＲ１，ＢＲ２が接地電極の例であり、歌唱音合成部３４が生成手段の例である。
【産業上の利用可能性】
【００６４】
本発明は、歌唱音の合成するための音高および文字の指定に有効に利用することができる。
【符号の説明】
【００６５】
１…演奏操作部，３…制御部，４…記憶部，５…出力部，１１…ボディ，１２…ネック，１３…ヘッド，１４…弦，１５…操作部，３ａ…ＣＰＵ，３ｂ…ＲＯＭ，３ｃ…ＲＡＭ，２１，２２…操作検出部，３１…音高受付部，３２…歌唱文字受付部，３３…判定部，３４…歌唱音合成部，３５…出力制御部，１００…演奏装置，Ａ１，Ａ２，Ａ３，Ａ４，Ａ５…母音操作子，Ｂ１，Ｂ２，Ｂ３，Ｂ４…撥音操作子，Ｃ１，Ｃ２…音高調整操作子
【図１】
2017167249.tif 000003
【図２】
2017167249.tif 000004
【図３】
2017167249.tif 000005
【図４】
2017167249.tif 000006
【図５】
2017167249.tif 000007
【図６】
2017167249.tif 000008
【図７】
2017167249.tif 000009
【図８】
2017167249.tif 000010
【図９】
2017167249.tif 000011
【図１０】
2017167249.tif 000012
【図１１】
2017167249.tif 000013